Podtech/llm-jp-corpus-v4-ja_patent huggingface dataset:
(57)【要約】【課題】  スケジュールとメモのページを別々に使用や保管することを容易にした状態で、スケジュールのページとメモのページを見開きで使用できるようにしたスケジュール帳を提供する。【解決手段】  台板１の両端に輪状の綴じ具２、３を設け、各端に二枚のカバー板４、５、６、７を備え、カバー板４と台板１の間に複数のスケジュール用紙８と、カバー板６と台板１の間に複数のメモ用紙９を設ける。【選択図】図１
2017128103.tif 000002
【特許請求の範囲】
【請求項１】
台板の両端に輪状の綴じ具を設け、各端に二枚のカバー板と複数の用紙を設けたスケジュール帳
【発明の詳細な説明】
【技術分野】
【０００１】  この発明は、メモ付きのスケジュール帳に関するものである。
【背景技術】
【０００２】  従来、スケジュール管理に利用される手帳は１年単位で１冊となっているブックタイプやシステム手帳が提供されている。このような手帳はスケジュールを記載するページの後にメモが記載できるページを配置しているか、月毎や週毎のスケジュールのページにメモの記載ページを配置している。
【発明の概要】
【発明が解決しようとする課題】
【０００３】  次のような欠点があった
従来のブックタイプの手帳はスケジュールのページの後にメモのページが配置されている場合は、見開きで使用することはできない。またスケジュールのページとメモのページが見開きで使用することができる場合は、メモのページの裏面に次月や次週のスケジュールのページが配置されるため、スケジュールのページとメモのページを別々に使用することや保管することができない。【０００４】  システム手帳タイプは、スケジュールのページとメモのページを見開きにする場合に、スケジュールのページの間にメモのページとして用紙を綴じなければならないため手間である。またメモのページを別々に使用や保管する場合は用紙を取り外さなければならないため手間である。【０００５】  そこで本発明は、スケジュールとメモのページを別々に使用や保管することを容易にした状態で、スケジュールのページとメモのページを見開きで使用できるようにすることを目的としている。
【課題を解決するための手段】
【０００６】  台板の両端に輪状の綴じ具を設け、各端に二枚のカバー板を設ける。台板の一端にはスケジュール用紙、もう一端にはメモ用紙を設ける。各用紙は台板と二枚のカバー板の間に用途に応じて複数の枚数を設ける。両端に輪状の綴じ具を設けた台板は、その両端に設けるカバー板と各用紙よりも輪状の綴じ具を設けた分、寸法を大きくする。
本発明は以上の構成よりなるスケジュール手帳である。
【発明の効果】
【０００７】  台板の両端に設けたスケジュール用紙とメモ用紙は、輪状の綴じ具によってそれぞれページをめくることができるため、見開き状態でスケジュールのページとメモのページを配置することが可能になる。台板の各端に二枚のカバー板を設けたことによって、見開きの状態で各用紙をカバーして折りたたむことができるため、手帳として携帯することが可能になる。スケジュールのページとメモのページは別々に綴じられているため、別々に使用や保管すること可能になる。
【図面の簡単な説明】
【０００８】
【図１】  本発明の実施形態に係るスケジュール帳の斜視図である。
【図２】  図１に示すスケジュール帳の左端に綴じ具が配置される場合の見開き状態の斜視図である。
【図３】  図１に示すスケジュール帳の左端に綴じ具が配置される場合の見開き状態の底面図である。
【図４】  図１に示すスケジュール帳の左端に綴じ具が配置される場合の折りたたんだ状態の斜視図である。
【図５】  図１に示すスケジュール帳の右端に綴じ具が配置される場合の見開き状態の斜視図である。
【図６】  図１に示すスケジュール帳の右端に綴じ具が配置される場合の見開き状態の底面図である。
【図７】  図１に示すスケジュール帳の右端に綴じ具が配置される場合の折りたたんだ状態の斜視図である。
【発明を実施するための形態】
【０００９】  以下、本発明に係る実施形態の図面を参照して説明する。なお、以下の説明で用いる方向の概念は使用者がスケジュール帳を見開いて各用紙を見たときの方向を基準とする。
図１は本発明の実施形態に係るスケジュール帳の斜視図である。図１に示すように、台板１の両端に輪状の綴じ具２、３を設け、各端に二枚のカバー板４、５、６、７を設ける。カバー板４と台板１の間に必要な枚数のスケジュール用紙８と、カバー板６と台板１の間に必要な枚数のメモ用紙９を設ける。
【００１０】  図２と図３で示すように、スケジュール用紙８ａを輪状の綴じ具２の右側に配置する場合、メモ用紙９ａを輪状の綴じ具３の右側に配置することによって見開き状態になる。
輪状の綴じ具３に設けた、カバー板４を、台板１の下に配置するスケジュール用紙８ｂの下に配置し、カバー板５をメモ用紙９ａの下に配置することによって、図４に示すように、輪状の綴じ具３を軸に、カバー板４と５を外側にして折りたたむことができ、携帯性を得られる。
【００１１】  図５と図６に示すように、スケジュール用紙８ｃが輪状の綴じ具２の左側に配置する場合、メモ用紙９ｃを輪状の綴じ具３の左側に配置することによって見開き状態になる。
輪状の綴じ具２に設けた、カバー板６を、台板１の下に配置するメモ用紙９ｄの下に配置し、カバー板７をスケジュール用紙８ｃの下に配置することによって、図７に示すように、輪状の綴じ具２を軸に、カバー板６と７を外側にして折りたたむことができ、携帯性を得られる。
【符号の説明】
【００１２】１  台板
２  輪状の綴じ具（台板の左端）
３  輪状の綴じ具（台板の右端）
４  カバー板（台板の左端、内側）
５  カバー板（台板の左端、外側）
６  カバー板（台板の右側、内側）
７  カバー板（台板の右側、外側）
８  スケジュール用紙
８ａ  スケジュール用紙（左端に綴じ具が配置、使用中の用紙）
８ｂ  スケジュール用紙（左端に綴じ具が配置、使用中ではない用紙）
８ｃ  スケジュール用紙（右端に綴じ具が配置、使用中の用紙）
８ｄ  スケジュール用紙（右端に綴じ具が配置、使用中ではない用紙）
９  メモ用紙
９ａ  メモ用紙（左端に綴じ具が配置、使用中の用紙）
９ｂ  メモ用紙（左端に綴じ具が配置、使用中ではない用紙）
９ｃ  メモ用紙（右端に綴じ具が配置、使用中の用紙）
９ｄ  メモ用紙（右端に綴じ具が配置、使用中ではない用紙）
【図１】
2017128103.tif 000003
【図２】
2017128103.tif 000004
【図３】
2017128103.tif 000005
【図４】
2017128103.tif 000006
【図５】
2017128103.tif 000007
【図６】
2017128103.tif 000008
【図７】
2017128103.tif 000009
(57)【要約】      （修正有）【課題】管理下各商品クーポン情報の個別内容の変更と連動して更新する必要のない常に最新商品クーポンを利用できる複数の商品クーポン情報をまとめて管理する商品クーポン総合情報管理システムを提供する。【解決手段】複数の商品クーポン情報をまとめて管理する商品クーポン総合管理情報１を設け、総合管理情報を識別、管理する手段を含む内容を掲載し、管理下の各商品クーポン個別詳細情報２を確認できるポータル情報を設ける。管理下の各商品クーポン個別情報２が変更になっても、商品クーポン総合管理情報１の掲載内容を変更しない。商品クーポンを元にサービスを提供する側は、商品クーポン総合管理情報１の識別、管理手段に各自の商品クーポンの最新情報とリンクさせ、商品クーポン総合管理情報１の識別、管理手段にて各自商品のクーポン情報を識別、管理するように設定する。【選択図】図１
2017126309.tif 000002
【特許請求の範囲】
【請求項１】
複数の商品クーポン情報を商品クーポンの識別、管理手段を有する掲載内容を変更しない商品クーポン情報総合管理情報にまとめて一括で管理することを特徴とする商品クーポン情報管理システム。
【発明の詳細な説明】
【技術分野】
【０００１】本発明は、複数の商品クーポン情報を一括で管理する商システムに関する。
【背景技術】
【０００２】商品クーポンサービスを提供するために、商品のクーポン情報内容を識別する必要があるので、各商品クーポンに対してそれぞれ異なるクーポン識別、管理コードなど識別、管理手段を設ける。【０００３】従来、商品クーポンの利用者に複数の商品クーポン情報を一括で提供する場合は、各商品クーポンの情報内容とそれぞれ対応する商品クーポン識別、管理手段を単に印刷物や電子情報表示などに集めて商品クーポンまとめ情報として商品クーポンの利用者に提供するのが一般的である。【０００４】商品クーポンまとめ情報に掲載された商品クーポンの内容に変更があった場合、変更した商品クーポンの内容を商品クーポン利用者に知らせる必要があるので、商品クーポンまとめ情報を最新情報に更新して商品クーポン利用者に提供する。【０００５】また、商品クーポン情報に変更があり、商品クーポンを元にサービスを提供する側は変更後の商品クーポンの識別、管理手段を変更前の識別、管理手段と異なるものに変更した場合は、商品クーポンまとめ情報を最新情報に更新して商品クーポン利用者に提供する。【０００６】各商品クーポンの内容変更がある度に、商品クーポンまとめ情報を最新情報に更新する必要があるので、商品クーポンまとめ情報を提供する側は内容の更新、情報の再提供をする頻度が高く、商品クーポン利用者にリアルタイムで確実に最新情報を提供するのが困難である。
【発明の展示】
【発明が解決しようとする課題】
【０００７】管理下各商品クーポン情報の個別内容の変更と連動して更新する必要のない常に最新商品クーポンを利用できる複数の商品クーポン情報をまとめて管理する商品クーポン総合情報管理システムを提供する。
【課題を解決するための手段】
【０００８】本発明では上記課題を解決するため、下記のようなシステム構成を採用する。
【０００９】本発明は、複数の商品クーポン情報をまとめて管理する商品クーポン総合管理情報を設ける。
【００１０】商品クーポン総合管理情報に、当該総合管理情報を識別、管理する手段を含む内容を掲載し、管理下の各商品クーポン情報の個別詳細情報を確認できるポータル情報を設ける。管理下の各商品クーポン個別情報が変更になっても、当該する商品クーポン総合管理情報の掲載内容を変更しない。
【００１１】商品クーポンを元にサービスを提供する側は、当該商品クーポン総合管理情報の識別、管理手段に各自の商品クーポンの最新情報とリンクさせ、商品クーポン総合管理情報の識別、管理手段にて各自商品のクーポン情報を識別、管理するように設定する。
【発明の効果】
【００１２】本発明は上記のような手段を採用することで、商品クーポンの利用者は、頻繁に発生する各商品クーポン個別情報の変更に依存することなく、入手した商品クーポン総合管理情報を使えば、常に各商品の最新商品クーポンを確実に利用できるようになった。
【発明を実施するための形態】
【００１３】以下に本発明の実施の形態について、図面を参照して説明する。
【００１４】図１に、本発明の構成図を示す。
【００１５】複数の商品クーポン情報をまとめ、一括で管理する商品クーポン総合管理情報１を設ける。管理下の各商品クーポン情報の個別詳細情報２を確認できるポータル情報を設ける。
【００１６】商品クーポン総合管理情報に、当該商品クーポン総合管理情報を識別と管理する手段として識別、管理コードを設け、この識別、管理コードを含む商品クーポン総合管理情報の掲載内容は、各商品のクーポン個別内容が変更されても、掲載内容を変更しない。
【００１７】商品クーポンを元にサービスを提供する側は、総合管理情報の識別、管理コードにて各自の商品クーポンを識別、管理できる手段として各自の商品クーポン管理システム３に登録する。また、常に総合管理情報の識別、管理コードに各自の商品クーポンの最新内容に適用する。
【００１８】商品クーポンの利用者は商品クーポンを元にサービスを提供する側である商品の販売店でクーポン対象商品を購入し代金を支払う際に、提供された商品クーポン総合管理情報に掲載された識別、管理コードを販売店に提示し、販売店はその識別、管理コードを元に、商品購入者に販売商品のクーポンサービスを提供する。
【００１９】商品クーポンの利用者は各商品クーポンの最新情報の詳細を確認する場合は、商品クーポン総合管理情報１に掲載されているポータル情報を元に、各商品クーポンの個別詳細情報を確認する。
【図面の簡単な説明】
【００２０】
【図１】本発明の構成図である。
【図１】
2017126309.tif 000003
(57)【要約】【課題】  今までの多種類のＣＰＵの、様々なアセンブラを幾つも覚える必要が無く、しかも、一つのＣＰＵで最初の４ビットのＣＰＵ、４００４から最新の６４ビットのＣＰＵ、ＣＯＲＥ  ｉ７までの機械語を走らせ、しかも、高級言語を中間コード化し、ＣＰＵのマイクロ・プログラムで直接、ハードウェア的に中間コードをＣＰＵに解読させて機械語のランタイムルーチンを呼び出せば、今までの全部のＣＰＵ、全部のコンピューター言語、全部のプログラムが一つのＣＰＵで走る。【解決手段】  この為、この発明においては、コンピューターのＣＰＵにはＣＩＳＣ（Ｃｏｍｐｌｅｘ  Ｉｎｓｔｒｕｃｔｉｏｎ  Ｓｅｔ  Ｃｏｍｐｕｔｅｒ）を使い、ＣＰＵのマイクロ・プログラムには今までの全部のＣＰＵの機械語を解読できる様に記述し、内部で新しいＣＰＵの機械語に変換し、コンピューターの高級言語の中間コードも解読できる様にする。これらの機械語・中間コードをハードウェア的に解読出来る様にＣＰＵのマイクロ・プログラムを改良・拡張する。【特許請求の範囲】
【請求項１】
コンピューターのＣＰＵの汎用化法
【発明の詳細な説明】
【技術分野】
【０００１】  この発明はデジタル回路に関する。
【発明の概要】
【０００２】  この発明は、コンピューターのＣＰＵで、電卓用の最初の４ビットのＣＰＵ、４００４から最新の６４ビットのＣＰＵ、ＣＯＲＥ  ｉ７までの機械語を新しいＣＰＵのマイクロ・プログラムでこのＣＰＵの機械語に変換して、今までの全部のＣＰＵの、全部のプログラムを一つのＣＰＵで走らせる物である。
【背景技術】
【０００３】  今までのコンピューターのＣＰＵの機械語は、そのＣＰＵ固有で、他のＣＰＵの機械語は走らず、違うＣＰＵでは新しくアセンブラを覚える必要があり、コンパイラ等の高級言語ではコード・ジェネレーターをそのＣＰＵ用に書き換える必要があった。
【発明の開示】
【発明が解決しようとする課題】
【０００４】  今までの多種類のＣＰＵの、様々なアセンブラを幾つも覚える必要が無く、しかも、一つのＣＰＵで最初の４ビットのＣＰＵ、４００４から最新の６４ビットのＣＰＵ、ＣＯＲＥ  ｉ７までの機械語を走らせ、しかも、高級言語を中間コード化し、ＣＰＵのマイクロ・プログラムで直接、ハードウェア的に中間コードをＣＰＵに解読させて機械語のランタイムルーチンを呼び出せば、今までの全部のＣＰＵ、全部のコンピューター言語、全部のプログラムが一つのＣＰＵで走る。
【課題を解決するための手段】
【０００５】  この為、この発明においては、コンピューターのＣＰＵにはＣＩＳＣ（Ｃｏｍｐｌｅｘ  Ｉｎｓｔｒｕｃｔｉｏｎ  Ｓｅｔ  Ｃｏｍｐｕｔｅｒ）を使い、ＣＰＵのマイクロ・プログラムには今までの全部のＣＰＵの機械語を解読できる様に記述し、内部で新しいＣＰＵの機械語に変換し、コンピューターの高級言語の中間コードも解読できる様にする。これらの機械語・中間コードをハードウェア的に解読出来る様にＣＰＵのマイクロ・プログラムを改良・拡張する。
【発明の効果】
【０００６】  この発明により、一つのＣＰＵで今までの全部のＣＰＵ、全部のコンピューター言語、全部のプログラムが走り、色々なアセンブラ、コンピューター言語を覚える必要が無く、自分の好きなＣＰＵ、好きなコンピューター言語でプログラムを書き、コンピューターを走らせる事が出来る。しかも、今までの古いＣＰＵのコマンド・セットの性能評価もコンパイラ等のコード・ジェネレーターやランタイムルーチンを切り換える事で出来る。
【関連特許】
【０００７】    特願２０１４−２５２４４０
(57)【要約】      （修正有）【課題】各国のシステム材料（経済発展のビタミンそ材）組合せコラボレーション世界経済循環安定化資金配当著作権利金配当％提案プログラム及び企画プロジェクト期間設立要請提案プログラムを提供する。【解決手段】本内容のプロジェクト設立、提案。【選択図】図２
2017126324.tif 000002
【特許請求の範囲】
【請求項１】
発明の名称の内容、（下記にかかる、）の旅行商品余剰金著作権利金収入連動、各国のシステム材料組合せコラボレーション世界経済循環安定化資金配当著作権利金配当％提案プログラム及び配当％企画プロジェクト機関設立要請提案プログラム  ネットワーク
【請求項２】
請求項１〜２及び本出願内容にかかる審査請求料、年金の無料化。
請求項１にかかる下記提案日本政府とのネットワークプログラム。
著作権利権利金配当（分）％提案プログラム（下記へ列記）
（調整は、日本政府が行うことができる。）
2017126324.tif 000004
2017126324.tif 000005
2017126324.tif 000006
▲４９▼日本郵船  ３％  Ａシステム４９
▲５０▼ローソン  ０．１％  Ｂシステム５０
▲５１▼三菱重工業  １％  Ｃシステム５１
▲５２▼三菱商事  １％  Ｄシステム５２
▲５３▼王子ホールディングス  ０．１％  Ｅシステム５３
▲５４▼三機工業  ０．１％  Ｆシステム５４
▲５５▼太平洋セメント  ０．２％  Ｇシステム５５
▲５６▼東レ  ０．１％  Ｈシステム５６
▲５７▼日本製鋼所  ０．１％  Ｉシステム５７
▲５８▼三井住友海上火災保険  ０．１％  Ｊシステム５８
▲５９▼三井住友トラストＨＤ  １％  Ｋシステム５９
▲６０▼三井物産  １％  Ｌシステム６０
▲６１▼三井不動産  １％  Ｍシステム６１
▲６２▼コントロールホールディングス（各国政府）合計２％  Ｎシステム６２
2017126324.tif 000007
▲６５▼ボランティアホールディングス（国連と関連機関）２％  Ｑシステム６．
▲６６▼４７都道府県の方（０．１×４６）＝４．６％  Ｒシステム６６
2017126324.tif 000008
▲６８▼国際連合安全保障理事会常任理事国  Ｔシステム６８
アメリカ合衆国  １％  Ｕシステム６９
中華人民共和国  １％  Ｗシステム７０
イギリス  １％  Ｘシステム７１
ロシア  １％  Ｙシステム７２
フランス  １％  Ｚシステム７３
▲７３▼ＮＡＴＯ加盟国  １％  Ｖシステム７４
▲７４▼アセアン加盟国  １％  Ｖシステム７５
▲７５▼ＢＲＩＣＳ条約加盟国  １％  Ｖシステム７６
2017126324.tif 000009
▲７９▼株式会社クレディセゾン  ０．１％  Ｖシステム８０
▲８０▼セコム  ０．１％  Ｖシステム８１
：
▲８２▼（株）サンエー  ０．１％  Ｖシステム８２
▲８３▼嘉陽  宗尚  ０．１％  Ｖシステム８３
▲８４▼嘉陽  美幸  ０．１％  Ｖシステム８４
▲８５▼嘉陽  宗潔  ０．１％  Ｖシステム８５
▲８６▼嘉陽  美帆  ０．１％  Ｖシステム８６
▲８７▼嘉陽  美奈  ０．１％  Ｖシステム８７
2017126324.tif 000010
2017126324.tif 000011
▲他▼日本医師会等他  ０．２％  Ｖシステム１０２
▲他▼財団法人等他  ０．１％  Ｖシステム１０３
▲他▼国立病院等他  ０．２％  Ｖシステム１０４
▲他▼社団法人等他  ０．１％  Ｖシステム１０５
▲他▼ＮＰＯ法人等他  ０．１％  Ｖシステム１０６
▲他▼国の指定する社団法人▲他▼  ０．２％  Ｖシステム１０７
（１例：各政党関連合計）
▲他▼現在ａｎｄ未来にかかる弁護士法人  ０．２％  Ｖシステム１０８
▲他▼Ｋ−１（調整システム）０．１％＝コンサルティングコーポＡ  Ｖシステム１０９
▲他▼Ｋ−２（調整システム）０．１％＝コンサルティングコーポＢ  Ｖシステム１１０
▲他▼Ｋ−３（調整システム）０．１％＝コンサルティングコーポＣ  Ｖシステム１１１
▲他▼マーチャントバンキング  ０．１％  Ｖシステム１１２
▲他▼バチカンシ国を含む２８の王室等他  １％  Ｖシステム１１３
（王室安定資金ホールディングス）
▲他▼−▲ａ▼セブンスデー・アドベンチスト教団等▲他▼  ０．１％  Ｖシステム１１４
▲他▼−▲ｂ▼日本の政府の指定する金融機関  ０．２％  Ｖシステム１１５
▲他▼−▲ｃ▼ロスチャイルド  ジャパンの指定する金融機関  ０．１％  Ｖシステム１１６
2017126324.tif 000012
前記、地球上での先導的地位の確立としての国連安全保障理事会への常任理事国参入提案プログラム、ネットワークの為の
2017126324.tif 000013
前記各リーダー提案プログラム及び著作配当％プログラム  ネットワーク、システムプログラム。
提案書前記，
2017126324.tif 000014
時の流れのごとき、せせらぎの清らかな御音色
2017126324.tif 000015
【発明の詳細な説明】
【技術分野】
【０００１】自然法則上、最も高度な安心できる世界経済循環システムプログラムするための
各国のシステム材料組合せコラボレーション世界経済循環安定化資金配当著作権利金配当％提案プログラム及び企画プロジェクト機関の設立とネットワーク
【背景技術】
【０００２】従来の世界経済は、なんらかの理由により、不安定になることがある。
【先行技術文献】
【特許文献】
【０００３】
【特許文献１】
【非特許文献】
【０００４】
【非特許文献１】
【発明の概要】
【発明が解決しようとする課題】
【０００５】各国のシステム材料組合せ（経済発展のビタミンそ材）コラボレーション世界経済循環安定化資金配当著作権利金配当％提案プログラム及び企画プロジェクト機関設立要請提案プログラム  ネットワーク
【課題を解決するための手段】
【０００６】図面と請求項のシステムプログラムの確立。
【発明の効果】
【０００７】世界経済の安定の基礎的役割を果たす。
【図面の簡単な説明】
【０００８】
【図１】各国のシステム材料組合せ（経済発展のビタミンそ材）コラボレーションエリアネットワーク世界経済循環安定化資金配当著作権利金配当％提案ネットワーク
【図２】各国のシステム材料組合せ（経済発展のビタミンそ材）コラボレーションエリアネットワーク世界経済循環安定化資金配当著作権利金配当％企画提案プロジェクト機関設立要請機関ネットワーク図面。
【発明を実施するための形態】
【０００９】図と請求項内容のシステムプログラム。
【産業上の利用可能性】
【００１０】各国のシステム材料の循環経済安定化。
【符号の説明】
【００１１】ｄ  各国のシステム材料組合せ（経済発展のビタミンそ材）コラボレーションエリアネットワーク世界経済循環安定化資金配当著作権利金配当％提案ネット
2017126324.tif 000003
ｌ．各国のシステム材料組合せ（経済発展のビタミンそ材）コラボレーションエリアネットワーク世界経済循環安定化資金配当著作権利金配当％企画提案プロジェクト機関設立要請機関ネットワーク図。
【図１】
2017126324.tif 000016
【図２】
2017126324.tif 000017
(57)【要約】      （修正有）【課題】人体の疲れを取るキュアスピーカーを提供する。【解決手段】足の側面が地上に接する事で人の体にある電気信号の為空気中にあるプラズマ・イオンが結合され、人間の体に磁石のように蓄積され、疲れのみなもとに片足を１ｃｍ地面から浮かせることで体を癒す。【選択図】図１
2017126971.tif 000002
【特許請求の範囲】
【請求項１】
2017126971.tif 000006
しにくい素材を使用接合に優れた体の痛れを取るキュアスピーカー
【請求項２】
前記先端部の外蓋より端子にプログラムされた体の回復を促がす音波を放っ特徴を持つキュアスピーカー
【請求項３】
外蓋は立て爪で凸凹を接合を行いロックし断面をしっかりと個定しているキュアスピーカー
【請求項４】
2017126971.tif 000007
のキュアスピーカー
【請求項５】
円錐形のカバー内にカーボンの素材を有している
【請求項６】
前項の素材カーボンは発電器から配線されており先端の空間部分に磁石が挿嵌されその部品から音波が発しられているキュアスピーカー
【請求項７】
配線はプラスとマイナスで二本に別れており電極が繋がっている
【請求項８】
カバーには長方形の穴があいており丸みを帯びた
2017126971.tif 000008
で構成されています
【請求項９】
2017126971.tif 000009
で重ねあわせ使用する
【請求項１０】
端子は磁石を設置するスペースの裏側に取り付け配線する
【請求項１１】
2017126971.tif 000010
【発明の詳細な説明】
【発明の概要】
【発明が解決しようとする果題】
【００１２】従来スピーカーに体を癒す力はないがこのキュアスピーカーは人々の体の痛れを取る事が出来きる
【００１３】キュアスピーカー内部の端子に人体の痛れのバロメーター
2017126971.tif 000003
に打ち込んだキュアスピーカー  プログラムは作成します
【００１４】そのプログラムに更にある体の部位に痛れを癒す放射をそして侵透部位のデーターを打ち込んだキュアスピーカー
【００１５】
2017126971.tif 000004
特許として認めて下さい
【発明の効果】
【００１６】足の側面が地上に接する事で人の体にある電気信号の為空気中にあるプラズマ・イオンが結合され人間の体に
2017126971.tif 000005
浮かせる事により体が癒されます
【００１７】現代社会において痛れが抜けきれない時代だけにぜひとも活用していただけたら光栄な事だと思います
【００１８】前回追事を提出しましたがまだ開発中です
【００１９】詳しい内容は又追事します
プラズマイオンが結合され人間の体から排出させるデーターの特許先願がほしいです
４０    真空間
４１    ネジ
２１ｂ  カーボン
４２ａ  配線
４２ｂ  ラバー合成樹脂
４３ａ  スピーカー前頭部
４３ｂ  磁石
４３    端子
2017126971.tif 000011
【手続補正書】
【提出日】平成28年9月8日(2016.9.8)
【手続補正１】
【補正対象書類名】明細書
【補正対象項目名】全文
【補正方法】変更
【補正の内容】
【発明の詳細な説明】
【技術分野】
【０００１】人体は毎日の働きで過労し疲れやすくなります
キュアスピーカーは人々を楽しく癒す事ができます
技術分野【０００２】体の疲れを空間ないで音楽を聞き楽しむできます
技術分野【０００３】音楽の好きな人はよりよく音楽を楽しむ事ができます
【背景技術】
【０００４】キュアスピーカーで音楽を聞くことで楽しく健やかに過ごせます
【先行技術文献】
【０００５】
【０００６】素材を用いる事で聴こえもよく気分がすぐれます
【０００７】楽しく音楽空間で時をすごす事が可能です
【図面の簡単な説明】
【０００８】
【図１】Ｐ誘導  変換              の図である
【図２】素材緩和                  の図である
【説明文献】
１  プラズマ  誘導
２  １センチデーター  端子
３  人体  Ｐ  誘導
符号
Ｐ−プラズマ
１−１センチ  端子
【手続補正２】
【補正対象書類名】図面
【補正対象項目名】全図
【補正方法】変更
【補正の内容】
【図１】
2017126971.tif 000012
【図２】
2017126971.tif 000013
(57)【要約】【課題】  これまでの電池は、形状が口に含みやすく、幼児やペット等の判断力の無い生物が電池を口に含んだ際、誤嚥を予防できない点があった。【解決手段】  電池の容器とガスケットの間に苦みや辛味等の刺激性の味を溶出する水溶性の溶出材を塗布した絶縁チューブ、若しくはガスケットに水溶性の苦みや辛味等の刺激性の溶出材をコーティング、或いはガスケットに水溶性の苦みや辛味等の刺激性の味を溶出する素材を使用、若しくは電池の容器の外周上の複数個所に水溶性の刺激性の溶出材を塗布やシートにして貼り付ける事で、誤って口に含んでも、唾液で溶出材が解けだし嫌気を催す事で誤飲を予防する。【選択図】図１
2017126543.tif 000002
【特許請求の範囲】
【請求項１】
電池の容器とガスケットの間に苦みや辛味等の刺激性の味を溶出する水溶性の溶出材を塗布した絶縁チューブを挟む、若しくはガスケットに水溶性の刺激性の溶出材をコーティングする、或いは＋容器の外周上の複数個所に水溶性の刺激性の溶出材を塗布、若しくは貼り付け、或いは溝に埋めた事を特徴とするボタン電池。
【請求項２】
電池の絶縁チューブと負極の間に苦みや辛味等の刺激性の味を溶出する水溶性の溶出材を塗布したシートを挟んだ事を特徴とする電池。
【請求項３】
電池の容器の外周上の複数個所に水溶性の刺激性の溶出材を塗布、若しくは貼り付け、或いは溝を設け、その溝の中に苦みや辛味等の刺激性の味を溶出する水溶性の溶出材を埋めた事を特徴とする電池
【請求項４】
塗布した溶出材や溝に埋めた溶出材の表面に円周上に沿って細かな溝を掘った請求項３の電池
【発明の詳細な説明】
【技術分野】
【０００１】
本発明は、誤飲防止の為の電池に関するものである。
【背景技術】
【０００２】
従来使用されている電池は形状が飴等の菓子に似ている為、幼児やペット等が誤って口に含み誤嚥する事故が起きていた。
【０００３】
しかしながら、電池の誤嚥防止の為の処置が何らなされず、一向に誤嚥事故は減らなかった。
【先行技術文献】
【特許文献】
【０００４】
【特許文献１】特開２０１５−１１１５００号公報
【０００５】
【非特許文献１】電池工業会  電池の構造と反応式        http://www.baj.or.jp/knowledge/structure.html
【発明の概要】
【発明が解決しようとする課題】
【０００６】
解決しようとする問題点は、形状が口に含みやすく、幼児やペット等の判断力の無い状況で電池を口に含んだ際、誤嚥を予防できない点である。
【課題を解決するための手段】
【０００７】
ガスケットと電池容器間に水溶性の苦みや辛味等の刺激性の味を溶出する素材でコーティングした溶出材を挟む、もしくはガスケットに水溶性の苦みや辛味等の刺激性の味を溶出する素材を使用する、又は電池の容器の外周上の複数個所に水溶性の刺激性の溶出材を塗布、或いは貼り付け、もしくは溝を掘り、その溝の中に苦みや辛味等の刺激性の味を溶出する水溶性の溶出材を埋めた事を特徴とする電池である。
【発明の効果】
【０００８】
以上の結果、水溶性の刺激性の味を溶出する溶出材やガスケットによって、口に含んだ時、唾液に触れる事で溶出材もしくはガスケットから不快な味が解けだし、口内から吐き出す事を促し誤飲を防ぐ効果がある。
【０００９】
電池の容器の外周上に塗布または埋めた溶出材の表面には、円周上に細かい溝を掘る事により毛管現象で水分が行き渡り、溶出材から味覚が溶出しやすくなる。
【００１０】
味覚については本能的に苦みや辛味を避ける為、幼児やペットなど判断力が無い状況での誤飲でも本能的に吐き出す事で誤飲の予防になる。
【産業上の利用可能性】
【００１１】
従来の電池の外周やガスケットに、味覚性の溶出材を塗布或いは添加するだけであり、容易に実施可能である。
【発明を実施するための最良の形態】
【００１２】
図１は誤飲予防ボタン電池の溶出材を示した断面図であり、図２は誤飲予防シートを挟んだ乾電池の断面図である。図３塗布型溶出材を示した誤飲予防乾電池の断面図である。図４は埋設型溶出材を示した誤飲予防乾電池の断面図である。
【００１３】
以下、添付図面に従って本発明の実施の形態について説明する。
まず、ボタン電池の＋容器９に溶出材４を塗布し、或いはボタン電池のガスケット２に溶出材４を塗布若しくは混合させ、或いは乾電池の金属ジャケット１１外周部に溶出材４を塗布若しくは絶縁チューブ１２と負極の間に苦みや辛味等の刺激性の味を溶出する水溶性の溶出材を塗布したシート、若しくはガスケットに水溶性の刺激性の溶出材をコーティングされ、又は乾電池の外周部に溝を成型し溶出材を埋設する事によって形成される。
【００１４】
上記構成による電池の効果を説明すれば、電池を誤って幼児やペットが口にすれば口内の唾液等の水分によって溶出材が溶け出し、口内に刺激性の味覚が広がり嫌気して電池を口外に出す事を促す。
【００１５】
これによって電池を誤嚥する事故を防ぐ。
【図面の簡単な説明】
【００１６】
【図１】図１は誤飲予防ボタン電池の溶出材を示した断面図である。
【図２】図２はシート型誤飲予防溶出材を挟んだ乾電池を示した断面図である。
【図３】図３は誤飲予防溶出材塗布型乾電池を示した断面図である。
【図４】図４は溝に埋めた溶出材の表面に円周上に沿って細かな溝を掘った誤飲予防溶出材埋設型乾電池を示した断面図である。
【符号の説明】
【００１７】
１    −封口蓋
２    ガスケット又はパッキン
３    負極
４    溶出材
５    セパレーター
６    触媒容器
７    撥水膜
８    拡散紙
９    ＋容器
１０    正極端子
１１    金属ジャケット
１２    絶縁チューブ
１３    集電体
１４    正極
１５    負極端子
【図１】
2017126543.tif 000003
【図２】
2017126543.tif 000004
【図３】
2017126543.tif 000005
【図４】
2017126543.tif 000006
(57)【要約】【課題】スイッチング速度が速く、過電圧耐量の高いトレンチゲート型ＭＯＳＦＥＴを提供する。【解決手段】トレンチソース電極底部の形状を角型形状、トレンチ底部形状をラウンド形状にしてトレンチソース電極底部とトレンチ底部との距離の長い部分と短い部分を作る。これによって、トレンチソース電極底部と、トレンチ底部間における絶縁膜の厚い部分と薄い部分を作ることができ、スイッチング速度が速く、過電圧耐量の高いトレンチゲート型ＭＯＳを作ることができる。【選択図】図２
2017126635.tif 000002
【特許請求の範囲】
【請求項１】
トレンチ内部に側面の半導体層と対向するトレンチゲート電極を有し、前記トレンチゲート電極間にトレンチソース電極を有する構造の半導体装置において、前記トレンチソース電極の底部の形状が角型形状であり、前記トレンチの底部の形状がラウンド形状であることを特徴とする半導体装置。
【請求項２】
前記トレンチソース電極の底部角部において、前記トレンチソース電極と前記トレンチ間の距離が最も短く、前記トレンチソース電極の角部以外の底部において最も長いことを特徴とする請求項１に記載の半導体装置。
【請求項３】
前記トレンチソース電極において、前記トレンチソース電極の底部角部とトレンチ間の最短距離をb、前記トレンチソース電極の角部以外の底部とトレンチ間の最長距離をaとしたとき,a/bが、1.1以上2.5であることを特徴とする半導体装置。
【発明の詳細な説明】
【技術分野】
【０００１】
本発明は構造が簡易で、スイッチング速度が速く、かつ、高い過電圧耐性を有する半導体装置に関する。
【背景技術】
【０００２】
容量を低減し、スイッチングスピードの速い半導体装置を実現する構造として、トレンチ内部電極を、ゲート電極層と、トレンチソース電極層に分離させたトレンチゲート分離型構造が知られている。
【先行技術文献】
【特許文献】
【０００３】
【特許文献１】特開２０１３−６９８５２号公報
【発明の概要】
【発明が解決しようとする課題】
【０００４】
しかしながらトレンチ内部の電極をトレンチゲート電極と、トレンチソース電極に分離し、スイッチングを速くした場合、過電圧耐量が低いという問題があった。本発明は、上記問題点を解決し、速いスイッチングスピードと、高い過電圧耐量を有する半導体装置を提案することを目的とする。
【課題を解決するための手段】
【０００５】
ラウンド型の底部形状を有するトレンチ内部に、角型の底部形状を有するトレンチソース電極を形成し、
トレンチソース電極底部と、トレンチ底部間の距離において、距離の短い部分と長い部分を一つのトレンチ内部で形成する。
【発明の効果】
【０００６】
本発明によれば、スイッチングスピードが速く、高い過電圧耐量を有する半導体装置を実現できる。
【図面の簡単な説明】
【０００７】
【図１】従来のトレンチゲート型ＭＯＳの全体構造である。
【図２】本発明のトレンチゲート型ＭＯＳのトレンチ内部構造である。
【発明を実施するための形態】
【０００８】
以下、本発明の実施の形態となる構造について説明する。
【実施例１】
【０００９】
実施例１に係るトレンチ内部のトレンチ底部構造および、トレンチソース電極底部構造について説明する。図では半導体装置の一例としてMOSFETを示している。
図1は従来構造の、トレンチ内部の半導体層と対向する側面にトレンチゲート電極を有し、トレンチゲート電極間にトレンチソースゲート電極を有するトレンチゲート型ＭＯＳＦＥＴである。
図2は、本発明の実施例１におけるトレンチゲート型ＭＯＳのトレンチ内部の形状である。図２に示すように、実施例１においては、トレンチ底部の構造がラウンド型形状であるのに対し、トレンチソース電極底部の構造は角型形状であり、二つの構造は異なる。
このようにソース電極底部の形状と、トレンチ底部の形状を変えることにより、トレンチソース電極底部とトレンチ底部との距離の長い部分と短い部分を作ることができ、これによってトレンチソース電極とトレンチ底部との間の絶縁膜に、厚くなる部分と薄くなる部分を設けることができる。具体的には、前記トレンチソース電極の底部角部において、前記トレンチソース電極と前記トレンチ間の距離が最も短く、前記トレンチソース電極の角部以外の底部において最も長い構造を形成することによって最も高い効果を得ることができる。
絶縁膜が厚い部分においては容量が小さくなり、スイッチングスピードを速めることができる。また、絶縁膜が薄い部分においては容量を大きくでき、これによって素子を過電圧保護することができる。
また、トレンチソース電極底部と、トレンチ底部間の絶縁膜は無機系のシリコン酸化膜であることが望ましい。トレンチソース電極底部角部において、トレンチソース電極底部角部とトレンチ間の最短距離をb、トレンチソース電極底部とトレンチ間の最長距離をaとしたとき,a/bが、1.1以上2.5であることが効果を得るために望ましい。また実施例ではMOSFETを示しているが、IGBTなど他のデバイスにこの構造を適用しても同様の効果を得ることができる。
【符号の説明】
【００１０】
１ソース電極、
２、トレンチソース電極
３、Ｎ＋ソース層
４、絶縁膜
５、Ｐ＋層
６、Ｎ−エピタキシャル層
７、トレンチゲート電極
８、トレンチゲート電極
９、ドレイン電極
１０、トレンチ
【図１】
2017126635.tif 000003
【図２】
2017126635.tif 000004
(57)【要約】【課題】  本発明はスイッチング速度が速く、かつ、放電によって破壊しにくい構造の半導体装置に関する。【解決手段】トレンチ内部に側面の半導体層と対向するトレンチゲート電極を有し、前記トレンチゲート電極間にトレンチソース電極を有する構造の半導体装置において、前記半導体層と対向する側の前記トレンチゲート電極の底部角部の形状をラウンド化し、さらに、前記トレンチゲート電極の上部角部と、対向する前記トレンチソース電極の上部角部間の距離をa, 前記トレンチゲート電極の底部角部と、これに対向するトレンチソース電極との距離をｂとした場合、a≧bの関係とする。【選択図】図３
2017126636.tif 000002
【特許請求の範囲】
【請求項１】
トレンチ内部に側面の半導体層と対向するトレンチゲート電極を有し、前記トレンチゲート電極間にトレンチソース電極を有する構造の半導体装置において、前記半導体層と対向する側の前記トレンチゲート電極の底部角部の形状がラウンド形状になっていることを特徴とする半導体装置。
【請求項２】
前記トレンチゲート電極の上部角部と、これに対向する前記トレンチソース電極の上部角部間の距離をa, 前記トレンチゲート電極の底部角部と、これに対向するトレンチソース電極との距離をｂとした場合、a ＞ bの関係にあることを特徴とする請求項1に記載の半導体装置。
【発明の詳細な説明】
【技術分野】
【０００１】
本発明はスイッチング速度が速く、かつ、放電によって破壊しにくい構造の半導体装置に関する。
【背景技術】
【０００２】
容量を低減し、スイッチングスピードの速い半導体装置を実現する構造として、トレンチ内部電極を、トレンチゲート電極と、トレンチソース電極に分離させたトレンチゲート型構造が知られている。
【先行技術文献】
【特許文献】
【０００３】
【特許文献１】特開２０１３−６９８５２号公報
【発明の概要】
【発明が解決しようとする課題】
【０００４】
しかしながら、本構造においては、ゲート電極と、ゲート電極と対向する半導体領域間で放電が生じやすく、電圧印加時に放電によって素子が破壊し易いという問題がある。本発明は、上記問題点を解決し、速いスイッチングスピード有し、放電によって素子の破壊の生じにくい半導体装置を提案することを目的とする。
【課題を解決するための手段】
【０００５】
トレンチゲート型半導体において、トレンチ側面の半導体層と対向する側のゲート電極の下部角部の形状をラウンド形状にし、トレンチゲート電極上部角部と、これと対向するトレンチソース電極上部角部の距離をa, トレンチゲート電極底部角部と、これと対向するトレンチソース電極との距離をｂとした場合、a ＞ bの関係にする。
【発明の効果】
【０００６】
本発明によれば、スイッチングスピードが速く、放電によって素子の破壊の生じにくい、ＭＯＳを製造できる。
【図面の簡単な説明】
【０００７】
【図１】従来技術のトレンチゲート型ＭＯＳの全体構造である。
【図２】従来技術のトレンチゲート型ＭＯＳのトレンチ内部構造である。
【図３】本発明におけるトレンチゲート型ＭＯＳのトレンチ内部構造である。
【発明を実施するための形態】
【０００８】
以下、本発明の実施の形態となる構造について説明する。
【実施例１】
【０００９】
実施例１に係るトレンチ内部の構造について説明する。実施例では、半導体装置の構造の一例としてＭＯＳを示している。図１は従来技術のトレンチゲート型ＭＯＳの全体構造、図２は従来型のトレンチゲート型ＭＯＳのトレンチ内部構造、図3は本発明の実施例１におけるトレンチゲート型ＭＯＳのトレンチ内部構造である。従来型のトレンチゲート電極構造と比較して、発明構造では、トレンチ側面の半導体層と対向する側のトレンチゲート電極の底部角部の形状がラウンド形状になっている。これによって、ゲートをＯＮした際の、ゲート電極とゲート電極と対向する半導体層での放電を避けることができる。また、半導体層と対向する側のトレンチゲート電極底部角部をラウンド化するだけでなく、その他のトレンチ電極角部をラウンド形状にしても、同様の効果が得られる。
さらに、前記トレンチゲート電極の上部角部と、対向する前記トレンチソース電極の上部角部間の距離をa, 前記トレンチゲート電極の下部角部と対向するトレンチソース電極下部角部の距離をｂとした場合、a ＞ bの関係とすることでトレンチゲート電極底部角部と対向する半導体領域の距離が長くなり、より効果的にトレンチゲート電極と、これと対向する半導体領域の放電を避けることができる。
【符号の説明】
【００１０】
１  ソース電極、
２、トレンチソース電極
３、Ｎ＋ソース層
４、絶縁膜
５、Ｐ＋層
６、Ｎ−エピタキシャル層
７、トレンチゲート電極
８、Ｎ＋半導体基板
９、ドレイン電極
１０、トレンチ
１１、トレンチゲート電極底部角部
【図１】
2017126636.tif 000003
【図２】
2017126636.tif 000004
【図３】
2017126636.tif 000005
(57)【要約】【課題】  本発明は、鼻緒前ツボ分離型の下駄を提供する。【解決手段】  下駄台の左右の後方から前方へ伸びてくる鼻緒が、下駄台前ツボの前端域中央において各々の連続的一部分として前ツボが形設され、左右の前孔にそれぞれ独立分離してすげられるものであるが、２本の前ツボが足指一本分程の間隔をもって形成されることを特徴とする、鼻緒前ツボ分離型バランス健康下駄である。【選択図】図３
2017077443.tif 000002
【特許請求の範囲】
【請求項１】
下駄台の左右の後方から前方へ伸びてくる鼻緒が、下駄台前ツボの前端域中央において各々の連続的一部分として前ツボが形設され、２本の前ツボが足指一本分程の間隔をもって形成されることを特徴とする鼻緒前ツボ分離型バランス健康下駄。
【発明の詳細な説明】
【技術分野】
【０００１】  本発明は、鼻緒前ツボ分離型の下駄に関するものである。
【背景技術】
【０００２】  従来からの長い歴史を持つ下駄は、左右の鼻緒の前中心から一本の前ツボが下りて下駄裏面にすげてあるものが一般的である。前ツボが２本の下駄も知られている（特許文献１参照）。
【先行技術文献】
【０００３】
【特許文献１】  実登３０６１５２３号公報
【発明の概要】
【発明が解決しようとする課題】
【０００４】  従来の下駄は、親指と人さし指の股の付け根を、下駄前中央の鼻緒の前ツボにさし込んで使用するものであり、次のような問題点があった。
（イ）鼻緒の真ん中にすげられた前ツボを、親指と人さし指の間の付け根１か所で鼻緒を支えるため、ここに重心がかかり、歩行時間の経過と共に指の付け根に痛みが出た。
（ロ）通常、下駄台の前孔は縦中心線上に１か所設けてあるが、鼻緒にくい込む指の付け根の位置は下駄台の中心線より親指側に寄っているため、かかとが左右にブレて不安定な歩行となり、下駄底の減り方も均一ではなく、自ずと外側（小指側）へ片寄ってすり減ることになった。
（ハ）又、特許文献１に示される先行技術は、下駄に２本の鼻緒前ツボを立て、ここに人さし指と中指をさし込んで履くものであるが、重心が指２本分内側に寄ってしまうため、歩き始めると違和感を覚え、程なく指に痛みが出て身体のバランスも内側（親指側）に片寄りすぎて崩れてしまうことになった。外側から親指と薬指で挟み締める形になり、特に薬指側の力は殆ど入りにくく締め付け度が弱いため、不自然で強い違和感を覚えざるを得ず、とても長い時間履き続けることはできない程となった。それ故履物の外れ易さを防止するはずが、実際には全く逆で、外れ易くなってしまった。
本発明は、これらの問題点を解決するためになされたものである。
【課題を解決するための手段】
【０００５】  下駄台の左右の後方から前方へ伸びてくる鼻緒が、下駄台前ツボの前端域中央において各々の連続的一部分として前ツボが形設され、左右の前孔にそれぞれ独立分離してすげられるものであるが、２本の前ツボが足指一本分程の間隔をもって形成され、この二つの前ツボの間に人さし指を入れ、各々の前ツボを親指および中指で人さし指との間に挟み締める形で履く。
以上を特徴とする鼻緒前ツボ分離型バランス健康下駄である。
【発明の効果】
【０００６】（イ）左右に独立分離している鼻緒前ツボ部分の真ん中にさし込まれた人さし指を、その両側の親指と中指の二つの股で左右から挟み込んで履くため、歩行時下駄表と足裏が密着し、指の付け根への荷重が分散されて痛みが出ない。
（ロ）従来の形状より指一本分内側に身体の重心が移動することによって、下駄台と足裏の縦中心線が一致し、体の重心が真ん中にくるため、かかと部の左右のブレがなくなり安定した歩行となるので、長期的もしくは習慣的に履くことにより姿勢が良くなり、背骨のゆがみやＯ脚の改善、外反母趾の予防などが期待できるのである。
（ハ）前ツボが２本設置されている点に於いて本発明は、特許文献１に示される先行技術と同じであるが、本発明の前ツボは、鼻緒の連続的一部分として左右が独立分離的に設置されており、その２本の前ツボの間に人さし指１本をさし込んで親指と中指とで左右の前ツボを挟みこむという形であり、それによって体の重心が人さし指一本分だけ内側に移動し、通常の下駄よりも体の重心の移動が片寄りすぎず、下駄の中心線に重なり合うことが出来るので、バランスの取れた歩行ができ、指の痛みも出ない。その結果、下駄底のかかとの外側だけ片寄って減るようなこともなく、均等に減ってゆく。
（二）左右の鼻緒〜前ツボがそれぞれ独立分離的であるので、履いている時に前ツボが足の動きに合わせて自由に動くので、内側と外側の前ツボが、身体の動き、傾きによる重心移動に対し、各々他方と連動を強いられることなく、各々が独自に自由に反応することが出来るため、履き心地が自然で、長時間履いても疲れず足指に痛みが出ない。
（ホ）鼻緒が一本切れてしまっても、独立分離していることによって、もう片方の鼻緒を親指と人さし指中指とで両側から挟み込んで、応急的に使用できる。
（ヘ）足場のよくない窪地や傾斜道に於いても独立分離型の鼻緒は、その効力を発揮できる。例えば、右側に窪みがあるところを右足で踏んだ場合、中指〜小指の３本が自由に動くので踏ん張ることが出来、親指側は重心が安定しているので引っ張られることなく影響を受けずにこの位置に残ることが出来るのである。又、左側の窪地を左足で踏んだときは、親指側で踏ん張って、中指〜小指の３本の指は自由な動きでそのまま体重を支え、バランスを保ってくれる。
（ト）本発明は、サンダルやゴム草履等の履物にも適用され、実施した場合サンダル台と足裏が密着するので、海水や砂が足裏に付着しても滑りにくく脱げずらく、安定した歩き方が出来る。
【図面の簡単な説明】
【０００７】
【図１】  本発明の下駄台の平面図である。
【図２】  本発明の下駄の斜視図である。
【図３】  本発明の下駄使用時の斜視図である。
【図４】  本発明の応用例、ビーチサンダルの斜視図である。
【発明を実施するための形態】
【０００８】  以下、本発明の実施の形態について説明する。
下駄台（１）の前孔位置の中央に、人さし指がさし込める程度の間隔をとって前孔（２）を２個貫通し、後ろ孔（３）は従来の位置に左右２個貫通する。鼻緒（４）の片方の先端部分を、前ツボ（５）と連続的一体化させた鼻緒（４）２本を、左右の前ツボ（５）に独立分離してすげ、左右の後ろ孔（３）には従来通りのやり方で鼻緒（４）をすげる。
本発明は、人さし指を、左右の鼻緒前ツボ（４）の真ん中にさし込んで、その両側の親指と中指とで左右の前ツボ（５）を挟み込んで履くという構成を特徴とする、鼻緒前ツボ分離型バランス健康下駄である。
【符号の説明】
【０００９】  １  下駄台
２  前孔
３  後ろ孔
４  鼻緒
５  前ツボ
【図１】
2017077443.tif 000003
【図２】
2017077443.tif 000004
【図３】
2017077443.tif 000005
【図４】
2017077443.tif 000006